(57)【要約】【課題】フランジ部と設置部材とを位置合わせするための高い位置精度が要求されることがなく、従って、作業性の悪化を効果的に防止することができ、フランジ部と設置部材との固定強度を向上させることができる太陽電池モジュールの設置構造、太陽電池モジュールの設置方法及び太陽光発電システムを提供する。【解決手段】太陽電池モジュールの設置構造は、太陽電池モジュール本体を保持する枠体に設けられたフランジ部を互いに挟持する一対の挟持部材と、一対の挟持部材を固定する固定部材とを備える。一対の挟持部材は、互いに対向してフランジ部を挟持する挟持領域と、互いに対向してフランジ部を挟持しない非挟持領域とを有する。固定部材は、一対の挟持部材を非挟持領域で固定して挟持領域をフランジ部の両側から圧接し、一対の挟持部材のうち少なくとも一方の挟持部材が設置部材に固定される。【選択図】図６
2017055525.tif 000002
【特許請求の範囲】
【請求項１】
太陽電池モジュール本体及び前記太陽電池モジュール本体を保持する枠体を備えた太陽電池モジュールを設置部材に設置する太陽電池モジュールの設置構造であって、
前記枠体には、フランジ部が設けられ、
前記フランジ部を互いに挟持する一対の挟持部材と、
前記一対の挟持部材を固定する固定部材と
を備え、
前記一対の挟持部材は、互いに対向して前記フランジ部を挟持する挟持領域と、互いに対向して前記フランジ部を挟持しない非挟持領域とを有し、
前記固定部材は、前記一対の挟持部材を前記非挟持領域で固定して前記挟持領域を前記フランジ部の両側から圧接し、
前記一対の挟持部材のうち少なくとも一方の挟持部材が前記設置部材に固定されることを特徴とする太陽電池モジュールの設置構造。
【請求項２】
請求項１に記載の太陽電池モジュールの設置構造であって、
前記一対の挟持部材における前記非挟持領域は、前記挟持領域に連接されて該非挟持領域の間に隙間が設けられた隙間領域と、前記隙間領域に連接されて該非挟持領域が互いに密着する密着領域とを有し、
前記固定部材は、前記一対の挟持部材を前記隙間領域で固定することを特徴とする太陽電池モジュールの設置構造。
【請求項３】
請求項１又は請求項２に記載の太陽電池モジュールの設置構造であって、
前記フランジ部は、枠体本体から前記太陽電池モジュール本体の裏側において内側に向けて前記太陽電池モジュール本体と平行又は略平行に延設されており、
前記一対の挟持部材のうち、前記フランジ部の前記太陽電池モジュール本体側を挟持する第１挟持部材が前記設置部材とは反対側に位置する一方、前記フランジ部の前記太陽電池モジュール本体とは反対側を挟持する第２挟持部材が前記設置部材側に位置し、かつ、前記設置部材に固定されることを特徴とする太陽電池モジュールの設置構造。
【請求項４】
請求項１から請求項３までの何れか１つに記載の太陽電池モジュールの設置構造を用いて前記太陽電池モジュールを設置する太陽電池モジュールの設置方法であって、
前記一対の挟持部材のうち少なくとも一方の挟持部材を前記設置部材に固定する工程と、
前記フランジ部を間にして前記固定部材により前記一対の挟持部材を前記非挟持領域で固定する工程と
を含むことを特徴とする太陽電池モジュールの設置方法。
【請求項５】
請求項１から請求項３までの何れか１つに記載の太陽電池モジュールの設置構造を用いて前記太陽電池モジュールが設置されていることを特徴とする太陽光発電システム。
【発明の詳細な説明】
【技術分野】
【０００１】
本発明は、太陽電池モジュールの設置構造及び設置方法に関する。
【背景技術】
【０００２】
太陽光発電を行う太陽電池セルは、例えば、単結晶シリコン基板や、多結晶シリコン基板を用いて作製される。単一の太陽電池セルでは発電する電気出力が小さいため、実用的な電気出力が得られるように複数の太陽電池セルを電気的に接続して太陽電池モジュールを構成している。
【０００３】
太陽電池モジュールとしては、太陽電池モジュール本体と太陽電池モジュール本体を保持する枠体とを備えたものがある。
【０００４】
太陽電池モジュール本体は、一般的に、直列及び／又は並列に接続された複数の太陽電池セルを受光側部材（例えば受光面ガラス）と裏側部材（例えば裏面ガラスや裏面バックシート）との間に介在させた構造となっている。なお、太陽電池素子は、例えば、ＥＶＡ（エチレンビニルアセテート樹脂）などの封止樹脂にて封止される。
【０００５】
太陽電池モジュールを保持する枠体としては、枠体本体から延出されたフランジ部が設けられる構成のものが多い。
【先行技術文献】
【特許文献】
【０００６】
【特許文献１】実用新案登録第３１０５６４５号公報
【発明の概要】
【発明が解決しようとする課題】
【０００７】
太陽電池モジュールは、一般的には、桟部材等の設置部材に設置される。太陽電池モジュールを桟部材に設置する太陽電池モジュールの設置構造においては、例えば、設置部材に太陽電池モジュールを設置するときに、設置部材と枠体におけるフランジ部とを固定することがある（例えば特許文献１参照）。
【０００８】
詳しくは、特許文献１に記載の太陽電池モジュールの設置構造は、太陽光発電モジュールを保持する枠体におけるフランジ部及び設置部材に貫通孔を空けてフランジ部と設置部材とをボルト及びナットを用いて固定して太陽電池モジュールを設置部材に設置している（特許文献１の図８参照）。
【０００９】
また、特許文献１に記載の太陽電池モジュールの設置構造は、太陽光発電モジュールを保持する枠体におけるフランジ部の幅を超える幅を有する平面部と、両翼端においてフランジ部の厚さと同厚に左右点対称に折り返した回転締り翼片とを備えた絞り固定金具を用い、絞り固定金具を回転させてフランジ部を回転締り翼片で挟み着けてフランジ部と設置部材とをボルト及びナットで固定して太陽電池モジュールを設置部材に設置している（特許文献１の図５及び図６参照）。
【００１０】
しかしながら、特許文献１に記載された太陽電池モジュールの設置構造では、フランジ部と設置部材とをボルト及びナットを用いて固定しようとすると、フランジ部と設置部材とを位置合わせ（具体的には貫通孔の位置合わせ）するための高い位置精度が要求され、作業性が悪化することになる。
【００１１】
また、絞り固定金具を用いてフランジ部と設置部材とをボルト及びナットで固定しようとすると、絞り固定金具においてボルト及びナットでの固定位置とフランジ部を保持する保持位置との距離が大きくなり、フランジ部と設置部材との十分な固定強度を得ることができない。
【００１２】
そこで、本発明は、フランジ部と設置部材とを位置合わせするための高い位置精度が要求されることがなく、従って、作業性の悪化を効果的に防止することができ、フランジ部と設置部材との固定強度を向上させることができる太陽電池モジュールの設置構造、太陽電池モジュールの設置方法及び太陽光発電システムを提供することを目的とする。
【課題を解決するための手段】
【００１３】
本発明に係る太陽電池モジュールの設置構造は、前記課題を解決するために、次の太陽電池モジュールの設置構造、太陽電池モジュールの設置方法及び太陽光発電システムを提供する。
【００１４】
（１）太陽電池モジュールの設置構造
本発明に係る太陽電池モジュールの設置構造は、太陽電池モジュール本体及び前記太陽電池モジュール本体を保持する枠体を備えた太陽電池モジュールを設置部材に設置する太陽電池モジュールの設置構造であって、前記枠体には、フランジ部が設けられ、前記フランジ部を互いに挟持する一対の挟持部材と、前記一対の挟持部材を固定する固定部材とを備え、前記一対の挟持部材は、互いに対向して前記フランジ部を挟持する挟持領域と、互いに対向して前記フランジ部を挟持しない非挟持領域とを有し、前記固定部材は、前記一対の挟持部材を前記非挟持領域で固定して前記挟持領域を前記フランジ部の両側から圧接し、前記一対の挟持部材のうち少なくとも一方の挟持部材が前記設置部材に固定されることを特徴とする。
【００１５】
（２）太陽電池モジュールの設置方法
本発明に係る太陽電池モジュールの設置方法は、前記本発明に係る太陽電池モジュールの設置構造を用いて前記太陽電池モジュールを設置する太陽電池モジュールの設置方法であって、前記一対の挟持部材のうち少なくとも一方の挟持部材を前記設置部材に固定する工程と、前記フランジ部を間にして前記固定部材により前記一対の挟持部材を前記非挟持領域で固定する工程とを含むことを特徴とする。
【００１６】
（３）太陽光発電システム
本発明に係る太陽光発電システムは、前記本発明に係る太陽電池モジュールの設置構造を用いて前記太陽電池モジュールが設置されていることを特徴とする。
【００１７】
本発明において、前記一対の挟持部材における前記非挟持領域は、前記挟持領域に連接されて該非挟持領域の間に隙間が設けられた隙間領域と、前記隙間領域に連接されて該非挟持領域が互いに密着する密着領域とを有し、前記固定部材は、前記一対の挟持部材を前記隙間領域で固定する態様を例示できる。
【００１８】
本発明において、前記フランジ部は、枠体本体から前記太陽電池モジュール本体の裏側において内側に向けて前記太陽電池モジュール本体と平行又は略平行に延設されており、前記一対の挟持部材のうち、前記フランジ部の前記太陽電池モジュール本体側を挟持する第１挟持部材が前記設置部材とは反対側に位置する一方、前記フランジ部の前記太陽電池モジュール本体とは反対側を挟持する第２挟持部材が前記設置部材側に位置し、かつ、前記設置部材に固定される態様を例示できる。
【発明の効果】
【００１９】
本発明によると、フランジ部と設置部材とを位置合わせするための高い位置精度が要求されることがなく、従って、作業性の悪化を効果的に防止することができ、フランジ部と設置部材との固定強度を向上させることが可能となる。
【図面の簡単な説明】
【００２０】
【図１】本発明の実施形態に係る太陽光発電システムの全体構成を概略的に示す斜視図である。
【図２】図１に示す太陽光発電システムの正面図である。
【図３】図１に示す太陽光発電システムの右側面図である。
【図４】図１に示す太陽電池モジュールのＡ−Ａ線に沿った概略断面図であって、太陽電池モジュール本体を保持する左枠及び右枠を示す図である。
【図５】図１に示す太陽電池モジュールのＢ−Ｂ線に沿った概略断面図であって、太陽電池モジュール本体を保持する上枠及び下枠を示す図である。
【図６】太陽光発電システムにおける第１実施形態に係る太陽電池モジュールの設置構造において前側の端部設置構造部分を示す図であって、前側の端部設置構造の一部断面を含む側面図である。
【図７】図６に示す前側の端部設置構造を右斜め上方から視た示す斜視図である。
【図８】図６に示す前側の端部設置構造を示す分解斜視図である。
【図９】太陽光発電システムにおける第１実施形態に係る太陽電池モジュールの設置構造において中間部設置構造部分を示す図であって、中間部設置構造の一部断面を含む側面図である。
【図１０】図９に示す中間部設置構造を右斜め上方から視た示す斜視図である。
【図１１】図９に示す中間部設置構造を示す分解斜視図である。
【図１２】太陽光発電システムにおける第１実施形態に係る太陽電池モジュールの設置構造において後側の端部設置構造部分を示す図であって、後側の端部設置構造の一部断面を含む側面図である。
【図１３】図１２に示す後側の端部設置構造を右斜め上方から視た示す斜視図である。
【図１４】図１２に示す後側の端部設置構造を示す分解斜視図である。
【図１５】太陽光発電システムにおける第２実施形態に係る太陽電池モジュールの設置構造において前側の端部設置構造部分を示す図であって、前側の端部設置構造の一部断面を含む側面図である。
【図１６】太陽光発電システムにおける第３実施形態に係る太陽電池モジュールの設置構造において第２挟持部材に貫通長孔を設けた例を示す第２挟持部材の斜視図である。
【図１７】太陽光発電システムにおける第４実施形態に係る太陽電池モジュールの設置構造において、設置部材に貫通長孔を設けた例を示す設置部材の斜視図である。
【発明を実施するための形態】
【００２１】
以下、本発明に係る実施の形態について図面を参照しながら説明する。
【００２２】
＜太陽光発電システムについて＞
まず、本発明の実施形態に係る太陽光発電システム５００について図１から図３を参照しながら以下に説明する。
【００２３】
図１は、本発明の実施形態に係る太陽光発電システム５００の全体構成を概略的に示す斜視図である。図２は、図１に示す太陽光発電システム５００の正面図である。図３は、図１に示す太陽光発電システム５００の右側面図である。なお、図１から図３において、正面から視て右端の１列には架台４００に太陽電池モジュール１００〜１００が設けられているものの、右端から２番目の１列には太陽電池モジュール１００〜１００から太陽電池モジュール本体１１０を取り外した状態で枠体１２０が一対の挟持部材４０，５０により架台４００における設置部材３００に設けられ、それ以外の列には一対の挟持部材４０，５０のうちの何れか一方の挟持部材（この例では第２挟持部材５０）が架台４００における設置部材３００に設けられている状態を示している。
【００２４】
ここで、正面（受光面）から向かって左右方向をＸとし、前後方向をＹとし、上下方向をＺとし、太陽電池モジュール１００の傾斜方向をＷとする。また、太陽電池モジュール１００の長手方向をＮとし、太陽電池モジュール１００の短手方向をＴとする。
【００２５】
図１に示す太陽光発電システム５００は、例えば、ソーラー発電所として利用可能な構成とされている。
【００２６】
太陽光発電システム５００は、太陽電池モジュール１００と、太陽電池モジュール１００を傾斜させた状態で支持する架台４００とを備えている。
【００２７】
太陽電池モジュール１００は、架台４００に対して、傾斜方向Ｗにおいて縦にｍ段（ｍは１又は２以上の整数、この例ではｍ＝３）、左右方向Ｘにおいて横にｎ列（ｎは１又は２以上の整数、この例ではｎ＝５）のマトリクス状に並べられてｍ段×ｎ列に設けられている（図１及び図２参照）。
【００２８】
（架台）
架台４００は、設置面（例えば地面）に固定される一方で太陽電池モジュール１００を傾斜させる土台部２００と、土台部２００に支持される一方で太陽電池モジュール１００を支持する設置部材３００（この例では桟部材として作用する横桟）とを備えている。
【００２９】
土台部２００は、補強レール２１０により補強されている。土台部２００は、前側が低くかつ後側が高くなるように前後方向Ｙに沿った長尺な傾斜部材とされており、左右方向Ｘに平行又は略平行になるように複数並設されている。架台４００の左右方向Ｘにおける両側の隣り合う２つの土台部２００，２００は、筋交い部２２０，２２０により補強されている。
【００３０】
設置部材３００は、左右方向Ｘに平行又は略平行になるように土台部２００に間隔をおいて複数並設されている。
【００３１】
なお、図１から図３において、説明していない符号（１１０，１１０ａ，１２１〜１２４等）については、後ほど説明する。
【００３２】
（太陽電池モジュール）
図４は、図１に示す太陽電池モジュール１００のＡ−Ａ線に沿った概略断面図であって、太陽電池モジュール本体１１０を保持する左枠１２１及び右枠１２２を示す図である。なお、左枠１２１及び右枠１２２は、同一構成のものであるため、同一符号を付し、図４において、左枠１２１及び右枠１２２を一つの図で示している。
【００３３】
また、図５は、図１に示す太陽電池モジュール１００のＢ−Ｂ線に沿った概略断面図であって、太陽電池モジュール本体１１０を保持する上枠１２３及び下枠１２４を示す図である。なお、上枠１２３及び下枠１２４は、同一構成のものであるため、同一符号を付し、図５において、上枠１２３及び下枠１２４を一つの図で示している。
【００３４】
太陽電池モジュール１００は、太陽電池モジュール本体１１０及び太陽電池モジュール本体を保持する枠体１２０（この例では左枠１２１及び右枠１２２並びに上枠１２３及び下枠１２４）を備えている。
【００３５】
太陽電池モジュール本体１１０には、受光面１１０ａ側から図示しない透光性基材、封止樹脂、複数の太陽電池セルからなる太陽電池セル層、封止樹脂、裏面側保護材がこの順で設けられている。この例では、透光性基材としてガラス基板を用い、封止樹脂としてＥＶＡ（エチレンビニルアセテート樹脂）を用い、太陽電池セルとして多結晶シリコンウエハから作製された太陽電池セルを用い、また、裏面側保護材としてＰＥＴ（ポリエチレンテレフタレート）シートを積層した多層シートを用いている。
【００３６】
複数の太陽電池セルは、太陽電池モジュール１００として十分な出力電力を得るために、内部配線（図示せず）を用いて直列に電気的に接続されている。さらに、太陽電池モジュール１００は正極側と負極側の２個の引出し電極（図示せず）を有しており、それぞれの引出し電極は、一端が太陽電池セルと電気的に接続され、他端が端子ボックス（図示せず）に電気的に接続されている。
【００３７】
太陽電池モジュール１００は、平面視で多角形状（この例では長方形状）の太陽電池モジュール本体１１０の外周部に枠体１２０を保持したものとされている。
【００３８】
太陽電池モジュール本体１１０は、太陽光を受光する受光面１１０ａと、受光面１１０ａとは反対側の裏面１１０ｂと、短辺側を構成する一対の側面のうちの一方の第１側面１１０ｃ（図４参照）と、短辺側を構成する一対の側面のうちの他方の第２側面１１０ｄ（図４参照）と、長辺側を構成する一対の側面のうちの一方の第３側面１１０ｅ（図５参照）と、長辺側を構成する一対の側面のうちの他方の第４側面１１０ｆ（図５参照）とを有している。
【００３９】
太陽電池モジュール本体１１０は、相対する一対の辺（この例では短辺側）が架台４００（図１から図３参照）により傾斜方向Ｗに傾斜しており、相対するもう一対の辺（この例では長辺側）が架台４００により高低差を有しかつ互いに水平又は略水平とされている。
【００４０】
枠体１２０は、太陽電池モジュール本体１１０の一方の短辺側を保持する一方の短辺側枠体（この例では左枠１２１（図１及び図４参照））と、太陽電池モジュール本体１１０の他方の短辺側を保持する他方の短辺側枠体（この例では右枠１２２（図１及び図４参照））と、太陽電池モジュール本体１１０の一方の長辺側を保持する一方の長辺側枠体（この例では上枠１２３（図１及び図５参照））と、太陽電池モジュール本体１１０の他方の長辺側を保持する他方の長辺側枠体（この例では下枠１２４（図１及び図５参照））とで構成されている。
【００４１】
左枠１２１は、太陽電池モジュール本体１１０の受光面１１０ａの長手方向Ｎにおける一端の縁部、裏面１１０ｂの長手方向Ｎにおける一端の縁部及び第１側面１１０ｃを保持する。右枠１２２は、太陽電池モジュール本体１１０の受光面１１０ａの長手方向Ｎにおける他端の縁部、裏面１１０ｂの長手方向Ｎにおける他端の縁部及び第２側面１１０ｄを保持する。この例では、左枠１２１及び右枠１２２は、同一構成のものとされている。
【００４２】
上枠１２３は、太陽電池モジュール本体１１０の受光面１１０ａの短手方向Ｔにおける一端の縁部、裏面１１０ｂの短手方向Ｔにおける一端の縁部及び第３側面１１０ｅを保持する。下枠１２４は、太陽電池モジュール本体１１０の受光面１１０ａの短手方向Ｔにおける他端の縁部、裏面１１０ｂの短手方向Ｔにおける他端の縁部及び第４側面１１０ｆを保持する。この例では、上枠１２３及び下枠１２４は、同一構成のものとされている。
【００４３】
太陽電池モジュール１００は、長手方向Ｎに沿った上枠１２３及び下枠１２４が水平又は略水平で上枠１２３が下枠１２４よりも高くなるように、かつ、短手方向Ｔに沿った左枠１２１及び右枠１２２が傾斜するように、架台４００に取り付けられる。詳しくは、隣り合う太陽電池モジュール１００，１００は、左右方向Ｘに隣り合う左枠１２１及び右枠１２２並びに傾斜方向Ｗに隣り合う上枠１２３及び下枠１２４が互いに近接又は接触するように土台部２００に固定された設置部材３００（この例では桟部材）に取り付けられる。
【００４４】
（左枠及び右枠の具体的構成）
左枠１２１及び右枠１２２は、太陽電池モジュール本体１１０を支持する第１枠部１１（図４参照）と、第１枠部１１を支持する第２枠部１２（図４参照）とを有している。第１枠部１１は、第２枠部１２の上部に設けられている。第１枠部１１及び第２枠部１２は、枠体本体１２０ａを構成している。枠体本体１２０ａは、第１枠部１１及び第２枠部１２を一体形成したものである。
【００４５】
第１枠部１１は、断面略Ｕ字状に形成されている。詳しくは、第１枠部１１は、太陽電池モジュール本体１１０の受光面１１０ａの縁部を保持する上片１１ａと、太陽電池モジュール本体１１０において第１側面１１０ｃ、第２側面１１０ｄを保持する側片１１ｂと、太陽電池モジュール本体１１０の裏面１１０ｂの縁部を保持する下片１１ｃとを備えている。第１枠部１１は、上片１１ａ、側片１１ｂ及び下片１１ｃを、側片１１ｂに対して上片１１ａ及び下片１１ｃが直角又は略直角になるように一体形成したものである。
【００４６】
枠体１２０（具体的には左枠１２１及び右枠１２２）には、枠体本体１２０ａから延出されたフランジ部１２ｂが設けられている。この例では、フランジ部１２ｂは、枠体本体１２０ａから太陽電池モジュール本体１１０の裏側において内側に向けて太陽電池モジュール本体１１０と平行又は略平行に延設されている。
【００４７】
詳しくは、第２枠部１２は、第１枠部１１の下部を支持する中空の縦枠部１２ａを備えている。縦枠部１２ａは、長手方向における両端が開放した中空の箱形形状とされている。フランジ部１２ｂは、縦枠部１２ａの太陽電池モジュール本体１１０とは反対側の端部から内側に向けて延びている。左枠１２１及び右枠１２２は、枠体本体１２０ａとフランジ部１２ｂとを一体形成したものである。
【００４８】
左枠１２１及び右枠１２２は、この例では、アルミニウムの押出加工により形成されたものとされている。
【００４９】
（上枠及び下枠の具体的構成）
上枠１２３及び下枠１２４は、太陽電池モジュール本体１１０を支持する第１枠部１３（図５参照）と、第１枠部１３を支持する第２枠部１４（図５参照）とを有している。第１枠部１３は、第２枠部１４の上部に設けられている。第１枠部１３及び第２枠部１４は、枠体本体１２０ａを構成している。枠体本体１２０ａは、第１枠部１３及び第２枠部１４を一体形成したものである。
【００５０】
第１枠部１３は、断面略Ｕ字状に形成されている。詳しくは、第１枠部１３は、太陽電池モジュール本体１１０の受光面１１０ａの縁部を保持する上片１３ａと、太陽電池モジュール本体１１０において第３側面１１０ｅ、第４側面１１０ｆを保持する側片１３ｂと、太陽電池モジュール本体１１０の裏面１１０ｂの縁部を保持する下片１３ｃとを備えている。第１枠部１３は、上片１３ａ、側片１３ｂ及び下片１３ｃを、側片１３ｂに対して上片１３ａ及び下片１３ｃが直角又は略直角になるように一体形成したものである。
【００５１】
枠体１２０（具体的には上枠１２３及び下枠１２４）には、枠体本体１２０ａから延出されたフランジ部１４ｂが設けられている。この例では、フランジ部１４ｂは、枠体本体１２０ａから太陽電池モジュール本体１１０の裏側において内側に向けて太陽電池モジュール本体１１０と平行又は略平行に延設されている。
【００５２】
詳しくは、第２枠部１４は、第１枠部１３の下部を支持する中空の縦枠部１４ａを備えている。縦枠部１４ａは、長手方向における両端が開放した中空の箱形形状とされている。フランジ部１４ｂは、縦枠部１４ａの太陽電池モジュール本体１１０とは反対側の端部から内側に向けて延びている。上枠１２３及び下枠１２４は、枠体本体１２０ａとフランジ部１４ｂとを一体形成したものである。
【００５３】
上枠１２３及び下枠１２４は、左枠１２１及び右枠１２２と同様、この例では、アルミニウムの押出加工により形成されたものとされている。
【００５４】
（枠体の太陽電池モジュール本体への保持構成）
太陽電池モジュール本体１１０と左枠１２１及び右枠１２２における第１枠部１１との間には、弾性体２０が配設され、太陽電池モジュール本体１１０と上枠１２３及び下枠１２４における第１枠部１３との間には、弾性体３０が配設されている。
【００５５】
詳しくは、弾性体２０は、左枠１２１及び右枠１２２における第１枠部１１が太陽電池モジュール本体１１０を保持している状態で太陽電池モジュール本体１１０と第１枠部１１の内壁との間に密着している。同様に、弾性体３０は、上枠１２３及び下枠１２４における第１枠部１３が太陽電池モジュール本体１１０を保持している状態で太陽電池モジュール本体１１０と第１枠部１３の内壁との間に密着している。弾性体２０，３０は、第１枠部１１，１３の内壁の形状に合わせて断面略Ｕ字状に形成されている。
【００５６】
左枠１２１及び右枠１２２は、太陽電池モジュール本体１１０が弾性体２０を介して第１枠部１１に嵌入されることにより、また、上枠１２３及び下枠１２４は、太陽電池モジュール本体１１０が弾性体３０を介して第１枠部１３に嵌入されることにより、太陽電池モジュール本体１１０に取り付けられている。
【００５７】
弾性体２０，３０は、第１枠部１１，１３と太陽電池モジュール本体１１０との間に挟まれているときでも弾性を有していることで、枠体１２０にかかる衝撃を太陽電池モジュール本体１１０に伝え難くする機能を有している。また、弾性体２０，３０は、太陽電池モジュール本体１１０の第１枠部１１，１３部分をより確実に封止し、水分等の侵入を防ぐ機能も有している。
【００５８】
弾性体２０，３０としては、例えば、エラストマー樹脂、ブチルゴム、シリコーン樹脂や合成ゴム等の弾性樹脂材料を用いることができる。弾性体２０，３０は、この例では、エラストマー樹脂からなっている。
【００５９】
（左枠及び右枠と上枠及び下枠との連結）
そして、太陽電池モジュール本体１１０を第１枠部１１及び第１枠部１３により保持した状態で、図示を省略したＬ字状の連結部材が左枠１２１及び右枠１２２における空間ＳＰ１と、上枠１２３及び下枠１２４における空間ＳＰ２とに嵌着される。これにより、左枠１２１及び右枠１２２と上枠１２３及び下枠１２４とを連結することができ、かくして、太陽電池モジュール１００を構成することができる。
【００６０】
＜太陽電池モジュールの設置構造について＞
次に、本実施の形態に係る太陽電池モジュール１００を設置部材３００に設置する太陽電池モジュール１００の設置構造について図６から図１７を参照しながら以下に説明する。
【００６１】
［第１実施形態］
図６から図８は、太陽光発電システム５００における第１実施形態に係る太陽電池モジュール１００の設置構造において前側の端部設置構造α部分を示す図である。図６は、前側の端部設置構造αの一部断面を含む側面図であり、図７は、前側の端部設置構造αを右斜め上方から視た示す斜視図であり、図８は、前側の端部設置構造αを示す分解斜視図である。
【００６２】
図９から図１１は、太陽光発電システム５００における第１実施形態に係る太陽電池モジュール１００の設置構造において中間部設置構造β部分を示す図である。図９は、中間部設置構造βの一部断面を含む側面図であり、図１０は、中間部設置構造βを右斜め上方から視た示す斜視図であり、図１１は、中間部設置構造βを示す分解斜視図である。
【００６３】
また、図１２から図１４は、太陽光発電システム５００における第１実施形態に係る太陽電池モジュール１００の設置構造において後側の端部設置構造γ部分を示す図である。図１２は、後側の端部設置構造γの一部断面を含む側面図であり、図１３は、後側の端部設置構造γを右斜め上方から視た示す斜視図であり、図１４は、後側の端部設置構造γを示す分解斜視図である。
【００６４】
なお、図６から図１４及び後述する図１５において太陽電池モジュール本体１１０等は図示を省略している。
【００６５】
ここで、太陽電池モジュール１００の設置構造で用いられる枠体は、この例では、上枠１２３及び下枠１２４であるが、以下の説明では、枠体１２０と称する。
【００６６】
第１実施形態に係る太陽電池モジュール１００の設置構造は、フランジ部１４ｂ（図５参照）を互いに挟持する一対の挟持部材４０，５０、及び、一対の挟持部材４０，５０を固定する固定部材６０を備えている。
【００６７】
そして、一対の挟持部材４０，５０は、互いに対向してフランジ部１４ｂを挟持する挟持領域４１，５１（図６、図９及び図１２参照）と、互いに対向してフランジ部１４ｂを挟持しない非挟持領域４２，５２（図６、図９及び図１２参照）とを有している。固定部材６０は、一対の挟持部材４０，５０を非挟持領域４２，５２で固定して挟持領域４１，５１をフランジ部１４ｂの両側から圧接し、一対の挟持部材４０，５０のうち少なくとも一方の挟持部材（この例では太陽電池モジュール本体１１０とは反対側の第２挟持部材５０）が設置部材３００に固定されている。
【００６８】
設置部材３００は、土台部２００（図１から図３参照）に固定された状態となっている。設置部材３００は、一対の挟持部材４０，５０のうち少なくとも一方の挟持部材（この例では第２挟持部材５０）が固定される。第１実施形態に係る太陽電池モジュール１００の設置構造は、太陽電池モジュール１００を予め定めた所定方向（この例では傾斜方向Ｗ及び左右方向X）に沿って複数並設する構成とされている。この例では、設置部材３００は、左右方向Ｘに沿った横桟とされている。具体的には、設置部材３００は、土台部２００に傾斜方向Ｗに間隔をおいて左右方向Ｘに沿って平行又は略平行に複数本（具体的には４本）並設されている。
【００６９】
複数本の設置部材３００〜３００のうち、傾斜方向Ｗにおける下側端部の設置部材３００（図６から図８参照）が傾斜方向Ｗにおける下側端部の太陽電池モジュール１００の下側の枠体１２０を支持している。
【００７０】
複数本の設置部材３００〜３００のうち、傾斜方向Ｗにおける両端部の設置部材３００，３００を除いた中間部の設置部材３００，３００（図９から図１１参照）が傾斜方向Ｗにおいて隣り合う２つの太陽電池モジュール１００，１００の隣り合う２つの枠体１２０，１２０を支持している。
【００７１】
複数本の設置部材３００〜３００のうち、傾斜方向Ｗにおける上側端部の設置部材３００（図１２から図１４参照）が傾斜方向Ｗにおける上側端部の太陽電池モジュール１００の上側の枠体１２０を支持している。
【００７２】
一対の挟持部材４０，５０は、枠体１２０におけるフランジ部１４ｂをフランジ部１４ｂの太陽電池モジュール本体１１０側の第１面１４ｂ１（図８、図１１及び図１４参照）及び太陽電池モジュール本体１１０とは反対側の第２面１４ｂ２（図８、図１１及び図１４参照）からそれぞれ挟持する構成とされている。
【００７３】
第１実施形態では、一対の挟持部材４０，５０における非挟持領域４２，５２は、挟持領域４１，５１に連接されて非挟持領域４２，５２の間に隙間が設けられた隙間領域δ１（図６、図９及び図１２参照）と、隙間領域δ１に連接されて非挟持領域４２，５２が互いに密着する密着領域δ２（図６、図９及び図１２参照）とを有している。固定部材６０は、一対の挟持部材４０，５０を隙間領域δ１で固定する。
【００７４】
詳しくは、密着領域δ２は、隙間領域δ１を間にして挟持領域４１，５１とは反対側に位置している。隙間領域δ１は、密着領域δ２に連接されて密着領域δ２に対して屈曲した屈曲領域δ３（図６、図９及び図１２）を有している。
【００７５】
また、第１実施形態では、一対の挟持部材４０，５０のうち、フランジ部１４ｂの太陽電池モジュール本体１１０側を挟持する第１挟持部材４０が設置部材３００とは反対側に位置する一方、フランジ部１４ｂの太陽電池モジュール本体１１０とは反対側を挟持する第２挟持部材５０が設置部材３００側に位置し、かつ、設置部材３００に固定されている。
【００７６】
具体的には、第１挟持部材４０は、傾斜方向Ｗに延びている。第１挟持部材４０は、フランジ部１４ｂと平行又は略平行な平面部４０ａ（図８、図１１及び図１４参照）を備えている。第１挟持部材４０における平面部４０ａは、太陽電池モジュール本体１１０とは反対側の面がフランジ部１４ｂに接触している。
【００７７】
第１挟持部材４０は、平面部４０ａのフランジ部１４ｂの延設方向（この例では傾斜方向Ｗ）に直交するフランジ部１４ｂに沿った方向（フランジ部１４ｂの長手方向、この例では左右方向Ｘ）における両端部からフランジ部１４ｂに接触する側とは反対側に立設する一対の立設部４０ｂ，４０ｂ（図８、図１１及び図１４参照）をさらに備えている。これにより、第１挟持部材４０の強度を向上させることができる。一対の立設部４０ｂ，４０ｂは、平面部４０ａに対してそれぞれ直角又は略直角に設けられている。
【００７８】
第１挟持部材４０は、鉄、ステンレス鋼、アルミニウム等の金属板を切断加工及び曲げ加工により形成したものとされている。
【００７９】
また、第１実施形態では、第２挟持部材５０は、傾斜方向Ｗに延びている。第２挟持部材５０は、フランジ部１４ｂと平行又は略平行な平面部５０ａ（図７、図８、図１０、図１１、図１３及び図１４）を備えている。第２挟持部材５０における平面部５０ａは、太陽電池モジュール本体１１０側の面がフランジ部１４ｂに接触している。
【００８０】
第２挟持部材５０は、平面部５０ａの予め定めた所定方向における両端部からフランジ部１４ｂに接触する側とは反対側に立設し、かつ、先端部が設置部材３００に接触する一対の立設部５０ｂ，５０ｂ（図７、図８、図１０、図１１、図１３及び図１４）をさらに備えている。
【００８１】
具体的には、一対の立設部５０ｂ，５０ｂは、平面部５０ａのフランジ部１４ｂの延設方向（この例では傾斜方向Ｗ）に直交するフランジ部１４ｂに沿った方向（フランジ部１４ｂの長手方向、この例では左右方向Ｘ）における両端部に設けられている。これにより、第２挟持部材５０の強度を向上させることができる。一対の立設部５０ｂ，５０ｂは、平面部５０ａに対してそれぞれ直角又は略直角に設けられている。
【００８２】
また、第２挟持部材５０には、フランジ部１４ｂの延設方向（この例では傾斜方向Ｗ）への移動を規制する規制部材５３（図７、図８、図１０、図１１、図１３及び図１４）が設けられている。規制部材５３は、第２挟持部材５０のフランジ部１４ｂの長手方向（この例では左右方向Ｘ）における両端部（具体的には一対の立設部５０ｂ，５０ｂにおける両外側面）に設けられている。
【００８３】
固定部材６０は、第２挟持部材５０の下方からの固定作業により第１挟持部材４０と第２挟持部材５０とを固定するようになっている。第１挟持部材４０（この例では隙間領域δ１）には、雌ネジ孔４０ｃ（図８、図１１及び図１４参照）が形成される一方、第２挟持部材５０（この例では平面部５０ａ）には、第１挟持部材４０における雌ネジ孔４０ｃに対応する貫通孔５０ｅ（図８、図１１及び図１４参照）が形成されている。固定部材６０は、貫通孔５０ｅを貫通して雌ネジ孔４０ｃに螺合するボルト部材である。貫通孔５０ｅは、固定部材６０（具体的にはボルト部材）の雄ネジ部が円滑に挿通できる程度の孔径とされている。
【００８４】
第１挟持部材４０及び第２挟持部材５０のうち少なくとも一方（この例では第２挟持部材５０）は、固定部材７０により設置部材３００に固定されている。
【００８５】
設置部材３００は、この例では、開放側を下にした断面ハット形状とされている。設置部材３００は、上板部３０１（図８、図１１及び図１４参照）と、一対の側板部３０２，３０２（図８、図１１及び図１４参照）と、一対の鍔部３０３，３０３（図８、図１１及び図１４参照）とを備えている。
【００８６】
上板部３０１は、上面３０１ａ（図８、図１１及び図１４参照）が第２挟持部材５０に当接する。一対の側板部３０２，３０２は、上板部３０１の傾斜方向Ｗにおける両端部から太陽電池モジュール１００とは反対側にそれぞれ立設されている。一対の鍔部３０３，３０３は、一対の側板部３０２，３０２の先端部から傾斜方向Ｗにおける外側にそれぞれ延設されている。一対の側板部３０２，３０２は、上板部３０１に対してそれぞれ直角又は略直角に設けられている。一対の鍔部３０３，３０３は、一対の側板部３０２，３０２に対してそれぞれ直角又は略直角に設けられている。
【００８７】
設置部材３００は、鉄、ステンレス鋼、アルミニウム等の金属板を切断加工及び曲げ加工により形成したものとされている。
【００８８】
また、第１実施形態では、図９から図１１に示すように、太陽電池モジュール１００の設置構造は、中間部設置構造βを構成する。第１挟持部材４０は、隣り合う２つの太陽電池モジュール１００，１００における隣り合う２つの枠体１２０，１２０におけるフランジ部１４ｂ，１４ｂにそれぞれ設けられる２つの第１挟持部材４０，４０とされている。第２挟持部材５０は、隣り合う２つの太陽電池モジュール１００，１００の隣り合う２つの枠体１２０，１２０におけるフランジ部１４ｂ，１４ｂに跨がる単一の第２挟持部材５０とされている（図９から図１１参照）。固定部材６０は、２つの第１挟持部材４０，４０及び単一の第２挟持部材５０における非挟持領域（４２，５２），（４２，５２）をそれぞれ固定する２つの固定部材６０，６０とされている。
【００８９】
詳しくは、規制部材５３，５３は、この例では、傾斜方向Ｗにおいて隣り合う２つの太陽電池モジュール１００，１００の隣り合う２つの枠体１２０，１２０の斜め下方への移動を規制する第１規制部材５３ａ，５３ａ（図７、図８、図１０、図１１、図１３及び図１４参照）と、傾斜方向Ｗにおける上側端部の太陽電池モジュール１００の上側の枠体１２０の斜め下方への移動を規制する第１規制部材５３ａ，５３ａ（図７、図８、図１０、図１１、図１３及び図１４参照）とを有している。
【００９０】
具体的には、第２挟持部材５０は、一対の立設部５０ｂ，５０ｂの両外側面にそれぞれ設けられた一対の固定部５０ｃ，５０ｃ（図７、図８、図１０、図１１、図１３及び図１４）をさらに備えている。一対の固定部５０ｃ，５０ｃは、一対の立設部５０ｂ，５０ｂの先端部にそれぞれ設けられており、一対の立設部５０ｂ，５０ｂに対してそれぞれ直角又は略直角に設けられている。
【００９１】
そして、第１規制部材５３ａ，５３ａは、固定部５０ｃ，５０ｃの傾斜方向Ｗにおける下側端部において太陽電池モジュール本体１１０側に立設されている。第２規制部材５３ｂ，５３ｂは、固定部５０ｃ，５０ｃの傾斜方向Ｗにおける上側端部において太陽電池モジュール本体１１０側に立設されている。第１規制部材５３ａ，５３ａ及び第２規制部材５３ｂ，５３ｂは、固定部５０ｃ，５０ｃに対してそれぞれ直角又は略直角に設けられている。
【００９２】
第２挟持部材５０は、鉄、ステンレス鋼、アルミニウム等の金属板を切断加工及び曲げ加工により形成したものとされている。
【００９３】
中間部設置構造β（図３及び図９から図１１参照）において、隣り合う２つの枠体１２０，１２０の下側の枠体１２０は、第１規制部材５３ａ，５３ａの内側の面に当接される（図１０参照）。隣り合う２つの枠体１２０，１２０の下側の枠体１２０は、第１規制部材５３ａ，５３ａの内側の面に当接された状態で、隣り合う２つの枠体１２０，１２０におけるフランジ部１４ｂが２つの第１挟持部材４０，４０及び単一の第２挟持部材５０に挟持される。
【００９４】
２つの固定部材６０，６０は、単一の第２挟持部材５０の下方から、隣り合う２つの枠体１２０，１２０におけるフランジ部１４ｂ，１４ｂを間にして２つの第１挟持部材４０，４０にそれぞれ締結されることにより、隣り合う２つの枠体１２０，１２０におけるフランジ部１４ｂ，１４ｂを２つの第１挟持部材４０，４０及び単一の第２挟持部材５０の間にそれぞれ挟持して固定する。
【００９５】
第２挟持部材５０（この例では平面部５０ａ）には、２つの第１挟持部材４０，４０における雌ネジ孔４０ｃ，４０ｃに対応する貫通孔５０ｅ，５０ｅがそれぞれ形成されている。固定部材６０は、貫通孔５０ｅ，５０ｅを貫通して雌ネジ孔４０ｃ，４０ｃにそれぞれ螺合する２つのボルト部材である。
【００９６】
後側の端部設置構造γ（図３及び図１２から図１４参照）において、上側端部の太陽電池モジュール１００の上側の枠体１２０は、第２規制部材５３ｂ，５３ｂの外側の面に当接される（図１３参照）。上側端部の太陽電池モジュール１００の上側の枠体１２０は、第２規制部材５３ｂ，５３ｂの外側の面に当接された状態で、上側端部の太陽電池モジュール１００の上側の枠体１２０におけるフランジ部１４ｂが第１挟持部材４０及び第２挟持部材５０に挟持される。
【００９７】
固定部材６０は、第２挟持部材５０の下方から、端部の枠体１２０におけるフランジ部１４ｂを間にして第１挟持部材４０に締結されることにより、端部の枠体１２０におけるフランジ部１４ｂを第１挟持部材４０及び第２挟持部材５０の間にそれぞれ挟持して固定する。
【００９８】
前側の端部設置構造α（図３及び図６から図８参照）において、下側端部の太陽電池モジュール１００の下側の枠体１２０は、下側端部の太陽電池モジュール１００の下側の枠体１２０におけるフランジ部１４ｂが第１挟持部材４０及び第２挟持部材５０に挟持される。
【００９９】
固定部材６０は、第２挟持部材５０の下方から、端部の枠体１２０におけるフランジ部１４ｂを間にして第１挟持部材４０に締結されることにより、端部の枠体１２０におけるフランジ部１４ｂを第１挟持部材４０及び第２挟持部材５０の間にそれぞれ挟持して固定する。
【０１００】
第２挟持部材５０と設置部材３００とは、設置部材３００の下方からの固定作業により２つの固定部材７０，７０で固定される。第２挟持部材５０（この例では固定部５０ｃ，５０ｃ）には、雌ネジ孔５０ｆ，５０ｆ（図８、図１１及び図１４参照）が形成される一方、設置部材３００（この例では上板部３０１）には、第２挟持部材５０における雌ネジ孔５０ｆ，５０ｆに対応する貫通孔３００ａ，３００ａ（図８、図１１及び図１４参照）が形成されている。固定部材７０，７０として作用するボルト部材は、貫通孔３００ａ，３００ａを貫通して雌ネジ孔５０ｆ，５０ｆに螺合する。貫通孔３００ａ，３００ａは、固定部材７０，７０（具体的にはボルト部材）の雄ネジ部が円滑に挿通できる程度の孔径とされている。
【０１０１】
また、中間部設置構造βは、並設された複数の太陽電池モジュール１００〜１００のうち、両端部に設けられる太陽電池モジュール１００，１００の枠体１２０，１２０におけるフランジ部１４ｂ，１４ｂを設置部材３００に固定する端部設置構造α，γを兼ねている。
【０１０２】
＜太陽電池モジュールの設置方法について＞
次に、本実施の形態に係る太陽電池モジュール１００の設置方法について以下に説明する。
【０１０３】
本実施の形態に係る太陽電池モジュール１００の設置方法は、一対の挟持部材４０，５０のうち少なくとも一方の挟持部材（この例では第２挟持部材５０）を設置部材３００に固定する工程と、フランジ部１４ｂを間にして固定部材６０により一対の挟持部材４０，５０を非挟持領域４２，５２で固定する工程とを含んでいる。
【０１０４】
この例では、枠体１２０が太陽電池モジュール本体１１０を保持した状態の太陽電池モジュール１００を設置部材３００に設置するにあたり、次の第１工程から第５工程を含んでいる。
【０１０５】
（第１工程）
第１工程では、一対の挟持部材４０，５０のうちのフランジ部１４ｂの太陽電池モジュール本体１１０とは反対側を挟持する第２挟持部材５０を設置部材３００上に載置する。
【０１０６】
具体的には、設置部材３００における上板部３０１の上面３０１ａに第２挟持部材５０を固定部５０ｃが下になるように載置する。このとき、第２挟持部材５０における雌ネジ孔５０ｆと設置部材３００における貫通孔３００ａとを位置合わせしておく。
【０１０７】
（第２工程）
第２工程では、設置部材３００上に載置した第２挟持部材５０を固定部材７０により設置部材３００に固定する。
【０１０８】
具体的には、固定部材７０の雄ネジ部を設置部材３００の下方から貫通孔３００ａに挿通して第２挟持部材５０における雌ネジ孔５０ｆに固定部材７０の雄ネジ部を螺合させる。
【０１０９】
（第３工程）
第３工程では、設置部材３００に固定部材７０により固定した第２挟持部材５０上に枠体１２０におけるフランジ部１４ｂを載置する。
【０１１０】
具体的には、前側の端部設置構造αでは、フランジ部１４ｂが下になりかつ内側（上側）を向くように枠体１２０を第２挟持部材５０における平面部５０ａ上に載置する。中間部設置構造β，βでは、フランジ部１４ｂ，１４ｂが下になりかつ互いに相反するように２つの枠体１２０，１２０を第２挟持部材５０における平面部５０ａ上に載置する。後側の端部設置構造γでは、フランジ部１４ｂが下になりかつ内側（下側）を向くように枠体１２０を第２挟持部材５０における平面部５０ａ上に載置する。このとき、中間部設置構造β，βでは、第２挟持部材５０における第１規制部材５３ａ，５３ａにより下側の枠体１２０の傾斜方向Ｗにおける斜め下方における移動が規制され、後側の端部設置構造γでは、第２挟持部材５０における第２規制部材５３ｂ，５３ｂにより枠体１２０の傾斜方向Ｗにおける斜め下方における移動が規制される。
【０１１１】
（第４工程）
第４工程では、第２挟持部材５０及び第２挟持部材５０上に載置したフランジ部１４ｂ上に第１挟持部材４０を載置して挟持領域４１，５１及び非挟持領域４２，５２を形成する。
【０１１２】
具体的には、枠体１２０におけるフランジ部１４ｂの上面（第１面１４ｂ１）と平面部４０ａの下面とを接触させ、かつ、平面部４０ａの下面と第２挟持部材５０における平面部５０ａの上面とを接触させる。このとき、第１挟持部材４０における雌ネジ孔４０ｃと第２挟持部材５０における貫通孔５０ｅとを位置合わせしておく。
【０１１３】
（第５工程）
第５工程では、フランジ部１４ｂ及び第２挟持部材５０上に載置した第１挟持部材４０を固定部材６０により非挟持領域４２，５２で固定する。
【０１１４】
具体的には、固定部材６０の雄ネジ部を第２挟持部材５０の下方から貫通孔５０ｅに挿通して第１挟持部材４０における雌ネジ孔４０ｃに固定部材６０の雄ネジ部を螺合させる。
【０１１５】
かくして、太陽電池モジュール１００における枠体１２０を土台部２００に固定された設置部材３００に固定することができる。
【０１１６】
［第２実施形態］
図１５は、太陽光発電システム５００における第２実施形態に係る太陽電池モジュール１００の設置構造において前側の端部設置構造α部分を示す図であって、前側の端部設置構造αの一部断面を含む側面図である。なお、中間部設置構造β及び後側の端部設置構造γは、図１５に示す前側の端部設置構造αに代表させて示している。
【０１１７】
第２実施形態において、第１実施形態と実質的に同じ構成要素には同一符号を付し、その説明を省略する。
【０１１８】
第２実施形態では、一対の挟持部材４０，５０における非挟持領域４２，５２は、挟持領域４１，５１に連接されて非挟持領域４２，５２の間に隙間が設けられた隙間領域δ１と、隙間領域δ１に連接されて非挟持領域４２，５２が互いに密着する密着領域δ２とを有している。固定部材６０は、一対の挟持部材４０，５０を密着領域δ２で固定する。
【０１１９】
詳しくは、密着領域δ２は、隙間領域δ１を間にして挟持領域４１，５１とは反対側に位置している。隙間領域δ１は、この例では、密着領域δ２に連接されて密着領域δ２に対して屈曲した屈曲領域δ３からなっている。
【０１２０】
［第３実施形態］
図１６は、太陽光発電システム５００における第３実施形態に係る太陽電池モジュール１００の設置構造において第２挟持部材５０に貫通長孔５０ｅ１を設けた例を示す第２挟持部材５０の斜視図である。
【０１２１】
第３実施形態において、第１実施形態及び第２実施形態と実質的に同じ構成要素には同一符号を付し、その説明を省略する。
【０１２２】
第３実施形態では、一対の挟持部材４０，５０のうち、フランジ部１４ｂの太陽電池モジュール本体１１０側を挟持する第１挟持部材４０（この例では平面部４０ａ）には、雌ネジ孔４０ｃ（図８、図１１及び図１４参照）が形成される一方、フランジ部１４ｂの太陽電池モジュール本体１１０とは反対側を挟持する第２挟持部材５０には、フランジ部１４ｂの延設方向（この例では傾斜方向Ｗ）に延びる貫通長孔５０ｅ１（図１６参照）が形成されている。固定部材６０は、貫通長孔５０ｅ１を貫通して雌ネジ孔４０ｃに螺合するボルト部材である。
【０１２３】
［第４実施形態］
図１７は、太陽光発電システム５００における第４実施形態に係る太陽電池モジュール１００の設置構造において設置部材３００に貫通長孔３００ａ１を設けた例を示す設置部材３００の斜視図である。
【０１２４】
第４実施形態において、第１実施形態から第３実施形態と実質的に同じ構成要素には同一符号を付し、その説明を省略する。
【０１２５】
第４実施形態では、一対の挟持部材４０，５０のうちのフランジ部１４ｂの太陽電池モジュール本体１１０とは反対側を挟持する第２挟持部材５０（この例では固定部５０ｃ）には、雌ネジ孔５０ｆ（図８、図１１及び図１４参照）が形成される一方、設置部材３００には、フランジ部１４ｂの長手方向（この例では左右方向Ｘ）に延びる貫通長孔３００ａ１（図１７参照）が形成されている。固定部材７０として作用するボルト部材は、貫通長孔３００ａ１を貫通して雌ネジ孔５０ｆに螺合する。
【０１２６】
［第５実施形態］
第１実施形態から第４実施形態では、設置部材３００を左右方向Ｘに平行又は略平行に配設し、太陽電池モジュール１００の設置構造で用いられる枠体１２０を上枠１２３及び下枠１２４とし、一対の挟持部材４０，５０により上枠１２３及び下枠１２４のフランジ部１４ｂを挟持するようにしたが、設置部材３００を前後方向Ｙに平行又は略平行に配設し（設置部材３００を縦桟とし）、太陽電池モジュール１００の設置構造で用いられる枠体１２０を左枠１２１及び右枠１２２とし、一対の挟持部材４０，５０により左枠１２１及び右枠１２２のフランジ部１２ｂを挟持するようにしてもよい。
【０１２７】
［第６実施形態］
第１実施形態から第５実施形態では、上枠１２３及び下枠１２４を左枠１２１及び右枠１２２よりも長くして太陽電池モジュール１００を横モジュール形状にしたが、上枠１２３及び下枠１２４を左枠１２１及び右枠１２２よりも短くして太陽電池モジュール１００を縦モジュール形状にしてもよい。また、それに限定されるものではなく、太陽電池モジュール１００を何れのモジュール形状にしてもよい。
【０１２８】
＜本実施の形態について＞
本実施の形態に係る太陽電池モジュール１００の設置構造及び太陽光発電システム５００によれば、一対の挟持部材４０，５０は、互いに対向してフランジ部１４ｂを挟持する挟持領域４１，５１と、互いに対向してフランジ部１４ｂを挟持しない非挟持領域４２，５２とを有し、固定部材６０は、一対の挟持部材４０，５０を非挟持領域４２，５２で固定して挟持領域４１，５１をフランジ部１４ｂの両側から圧接し、一対の挟持部材４０，５０のうち少なくとも一方の挟持部材（この例では第２挟持部材５０）が設置部材３００に固定されるので、フランジ部１４ｂと一対の挟持部材４０，５０とを任意の位置（すなわちフランジ部１４ｂの延設方向の位置及び／又は長手方向の位置）に固定することができ、これにより、フランジ部１４ｂと設置部材３００とを位置合わせするための高い位置精度が要求されることがない。従って、作業性の悪化を効果的に防止することができる。
【０１２９】
しかも、挟持領域４１，５１がフランジ部１４ｂの両側から圧接する面積である圧接面積を広くすることができ、これにより、一対の挟持部材４０，５０は、フランジ部１４ｂを挟持領域４１，５１で確実に保持することができ、さらに、一対の挟持部材４０，５０において固定部材６０での固定位置とフランジ部１４ｂを保持する保持位置との距離を短くすることができ、これにより、フランジ部１４ｂと設置部材３００との固定強度を向上させることが可能となる。
【０１３０】
ところで、太陽電池モジュール１００は、例えば、太陽電池モジュール１００を設置する設置場所によっては設置部材３００を固定する土台部２００を高く（例えば作業者の背丈よりも高く）することがある。この場合、太陽電池モジュール１００を設置するにあたり、設置部材３００の上方から太陽電池モジュール１００の固定作業を行うとなると、太陽電池モジュール１００の設置作業の作業性及び作業効率が悪化する。
【０１３１】
この点、本実施の形態では、枠体１２０の太陽電池モジュール本体１１０よりも下側に設けられたフランジ部１４ｂを一対の挟持部材４０，５０により保持するので、設置部材３００の下方からの太陽電池モジュール１００の固定作業を行うことができ、従って、太陽電池モジュール１００を設置するにあたり、設置部材３００の下方から簡単かつ容易に太陽電池モジュール１００の固定作業を行うことができ、これにより、設置部材３００の下方から太陽電池モジュール１００の固定作業を行う場合において、太陽電池モジュール１００の設置作業の作業性及び作業効率を向上させることが可能となる。さらに、一対の挟持部材４０，５０の少なくとも一方の設置部材３００への固定箇所及び一対の挟持部材４０，５０の枠体１２０におけるフランジ部１４ｂへの固定箇所を太陽電池モジュール本体１１０の外側にはみ出すことを回避でき、これにより、隣り合う太陽電池モジュール１００，１００間の隙間を少なくする或いは無くすことができる。
【０１３２】
また、従来の如く、フランジ部と設置部材とをボルト及びナットを用いて固定したり、絞り固定金具を用いてフランジ部と設置部材とをボルト及びナットで固定したりするのではなく、枠体１２０におけるフランジ部１４ｂを一対の挟持部材４０，５０により保持するので、太陽電池モジュール１００の設置構造の簡単化かつ設置作業の容易化を実現させることができる。
【０１３３】
また、第２実施形態（図１５参照）を除く本実施の形態では、一対の挟持部材４０，５０における非挟持領域４２，５２は、挟持領域４１，５１に連接されて非挟持領域４２，５２の間に隙間が設けられた隙間領域δ１と、隙間領域δ１に連接されて非挟持領域４２，５２が互いに密着する密着領域δ２とを有し、固定部材６０は、一対の挟持部材４０，５０を隙間領域δ１で固定するので、固定部材６０により、屈曲領域δ３を介して密着領域δ２で固定する第２実施形態（図１５参照）の場合に比べて、屈曲領域δ３を介することなく直接的にフランジ部１４ｂを圧接することができ、挟持領域４１，５１をフランジ部１４ｂにより確実に保持することができ、それだけ、フランジ部１４ｂと設置部材３００との固定強度を向上させることが可能となる。しかも、隙間領域δ１の隙間を一般的なフランジ部１４ｂの厚みよりも若干（固定部材６０によりフランジ部１４ｂを確実に圧接することができる程度に所定距離だけ）大きくしておくことで、各種の枠体１２０〜１２０に対応させることが可能となる。
【０１３４】
また、本実施の形態では、一対の挟持部材４０，５０のうち、フランジ部１４ｂの太陽電池モジュール本体１１０側を挟持する第１挟持部材４０が設置部材３００とは反対側に位置する一方、フランジ部１４ｂの太陽電池モジュール本体１１０とは反対側を挟持する第２挟持部材５０が設置部材３００側に位置し、かつ、設置部材３００に固定されることで、一対の挟持部材４０，５０の双方における挟持領域４１，５１でフランジ部１４ｂを確実に保持した状態で、一対の挟持部材４０，５０の片方（第２挟持部材５０）を設置部材３００に確実に固定することができ、これより、一対の挟持部材４０，５０の双方が設置部材３００に固定される場合よりも作業効率を向上させることができる。
【０１３５】
また、本実施の形態では、一対の挟持部材４０，５０のうちのフランジ部１４ｂの太陽電池モジュール本体１１０とは反対側を挟持する第２挟持部材５０には、フランジ部１４ｂの移動を規制する規制部材５３が設けられていることで、一対の挟持部材４０，５０を非挟持領域４２，５２で固定するに先立って、枠体１２０の移動を規制部材５３により規制した状態で枠体１２０を第２挟持部材５０に仮置きしておくことができ、それだけ太陽電池モジュール１００の設置作業の効率化を実現させることができる。
【０１３６】
また、本実施の形態では、一対の挟持部材４０，５０のうちのフランジ部１４ｂの太陽電池モジュール本体１１０側を挟持する第１挟持部材４０は、隣り合う２つの太陽電池モジュール１００，１００における隣り合う２つの枠体１２０，１２０におけるフランジ部１４ｂ，１４ｂにそれぞれ設けられる２つの第１挟持部材４０，４０とされており、一対の挟持部材４０，５０のうちのフランジ部１４ｂの太陽電池モジュール本体１１０とは反対側を挟持する第２挟持部材５０は、隣り合う２つの太陽電池モジュール１００，１００の隣り合う２つの枠体１２０，１２０におけるフランジ部１４ｂ，１４ｂに跨がる単一の第２挟持部材５０とされており、固定部材６０は、２つの第１挟持部材４０，４０及び単一の第２挟持部材５０における非挟持領域（４２，５２），（４２，５２）をそれぞれ固定する中間部設置構造β，βを構成することで、各隣り合う２つの太陽電池モジュール（１００，１００）〜（１００，１００）において、第２挟持部材５０を単一のものとすることができ、それだけ太陽電池モジュール１００の設置構造の簡素化を実現させることができる。
【０１３７】
また、本実施の形態では、中間部設置構造β，βは、並設された複数の太陽電池モジュール１００〜１００のうち、両端部に設けられる太陽電池モジュール１００，１００の枠体１２０，１２０におけるフランジ部１４ｂ，１４ｂを設置部材３００に設置する端部設置構造α，γを兼ねているので、２つの第１挟持部材４０，４０を中間部設置構造β，βと端部設置構造α，γとの間で同一構成（同一タイプ）の部材とすることができると共に、単一の第２挟持部材５０を中間部設置構造β，βと端部設置構造α，γとの間で同一構成（同一タイプ）の部材とすることができ、これにより中間部設置構造β，βと端部設置構造α，γとの間で部品の共通化を実現させることができる。
【０１３８】
また、第３実施形態では、一対の挟持部材４０，５０のうち、フランジ部１４ｂの太陽電池モジュール本体１１０側を挟持する第１挟持部材４０には、雌ネジ孔４０ｃが形成される一方、フランジ部１４ｂの太陽電池モジュール本体１１０とは反対側を挟持する第２挟持部材５０には、フランジ部１４ｂの延設方向に延びる貫通長孔５０ｅ１が形成されており、固定部材６０は、貫通長孔５０ｅ１を貫通して雌ネジ孔４０ｃに螺合するボルト部材であることで、フランジ部１４ｂの延設方向の長さが各種の枠体１２０〜１２０で異なっていても、第２挟持部材５０によりフランジ部１４ｂの延設方向の長さに応じでフランジ部１４ｂを確実に保持することができる。
【０１３９】
また、第４実施形態では、一対の挟持部材４０，５０のうちのフランジ部１４ｂの太陽電池モジュール本体１１０とは反対側を挟持する第２挟持部材５０には、雌ネジ孔５０ｆが形成される一方、設置部材３００には、フランジ部１４ｂの長手方向に延びる貫通長孔３００ａ１が形成されており、固定部材７０としてボルト部材が貫通長孔３００ａ１を貫通して雌ネジ孔５０ｆに螺合する構成とされていることで、第２挟持部材５０と設置部材３００とをフランジ部１４ｂの長手方向の任意の位置に固定することができる。
【０１４０】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１４１】
１１        第１枠部
１１ａ      上片
１１ｂ      側片
１１ｃ      下片
１２        第２枠部
１２ａ      縦枠部
１２ｂ      フランジ部
１３        第１枠部
１３ａ      上片
１３ｂ      側片
１３ｃ      下片
１４        第２枠部
１４ａ      縦枠部
１４ｂ      フランジ部
１４ｂ１    第１面
１４ｂ２    第２面
２０        弾性体
３０        弾性体
４０        第１挟持部材
４０ａ      平面部
４０ｂ      立設部
４０ｃ      雌ネジ孔
４１        挟持領域
４２        非挟持領域
５０        第２挟持部材
５０ａ      平面部
５０ｂ      立設部
５０ｃ      固定部
５０ｅ      貫通孔
５０ｅ１    貫通長孔
５０ｆ      雌ネジ孔
５１        挟持領域
５２        非挟持領域
５３        規制部材
５３ａ      第１規制部材
５３ｂ      第２規制部材
６０        固定部材
７０        固定部材
１００      太陽電池モジュール
１１０      太陽電池モジュール本体
１１０ａ    受光面
１１０ｂ    裏面
１１０ｃ    第１側面
１１０ｄ    第２側面
１１０ｅ    第３側面
１１０ｆ    第４側面
１２０      枠体
１２０ａ    枠体本体
１２１      左枠
１２２      右枠
１２３      上枠
１２４      下枠
２００      土台部
３００      設置部材
３００ａ    貫通孔
３００ａ１  貫通長孔
３０１      上板部
３０１ａ    上面
３０２      側板部
３０３      鍔部
４００      架台
５００      太陽光発電システム
Ｎ          長手方向
ＳＰ１      空間
ＳＰ２      空間
Ｔ          短手方向
Ｗ          傾斜方向
Ｘ          左右方向
Ｙ          前後方向
α          前側の端部設置構造
β          中間部設置構造
γ          後側の端部設置構造
δ１        隙間領域
δ２        密着領域
δ３        屈曲領域
【図１】
2017055525.tif 000003
【図２】
2017055525.tif 000004
【図３】
2017055525.tif 000005
【図４】
2017055525.tif 000006
【図５】
2017055525.tif 000007
【図６】
2017055525.tif 000008
【図７】
2017055525.tif 000009
【図８】
2017055525.tif 000010
【図９】
2017055525.tif 000011
【図１０】
2017055525.tif 000012
【図１１】
2017055525.tif 000013
【図１２】
2017055525.tif 000014
【図１３】
2017055525.tif 000015
【図１４】
2017055525.tif 000016
【図１５】
2017055525.tif 000017
【図１６】
2017055525.tif 000018
【図１７】
2017055525.tif 000019